(57)【要約】【課題】  股間の膨らみを目立たないようにした男性用パンツを提供すること。【解決手段】  前身頃３Ａ及び後身頃３Ｂとその前後両身頃３Ａ，３Ｂをつなぐ股布３Ｃとからなる男性用パンツ３において、前身頃３Ａに陰茎を露出するための開口部４が形成され、その開口部４から露出された陰茎を押さえるための押さえ帯３Ｄの一端部が前身頃３Ａの開口部４よりも上側に止着されると共に、該押さえ帯３Ｄの他端部が股布３Ｃ上を通り後身頃３Ｂに面ファスナーＦによって係脱可能に係止され、睾丸をサポートするための左右一対のサポート帯３Ｅを有し、該各サポート帯３Ｅの一端部が前身頃３Ａに止着されると共に、その各サポート帯３Ｅの他端部が股布３Ｃの側方を通り後身頃３Ｂに面ファスナーＦによって係脱可能に係止されている。【選択図】        図３
2010001578.tif 000002
【特許請求の範囲】
【請求項１】
前身頃及び後身頃とその前後両身頃をつなぐ股布とからなる男性用パンツにおいて、前記前身頃に陰茎を露出するための開口部が形成され、その開口部から露出された陰茎を押さえるための押さえ帯の一端部が前身頃の開口部よりも上側に止着されると共に、該押さえ帯の他端部が股布上を通り後身頃に面ファスナーによって係脱可能に係止されてなる男性用パンツ。
【請求項２】
睾丸をサポートするための左右一対のサポート帯を有し、該各サポート帯の一端部が前身頃に止着されると共に、その各サポート帯の他端部が股布の側方を通り後身頃に面ファスナーによって係脱可能に係止されてなる請求項１に記載の男性用パンツ。
【請求項３】
前記後身頃の両側縁上端から側方に延びる左右一対の延長帯が設けられ、該各延長帯が前身頃の上端縁に面ファスナーによって係脱可能に係止されてなる請求項１または２に記載の男性用パンツ。
【発明の詳細な説明】
【技術分野】
【０００１】
本発明は、例えば女装などの身体に密着するような服装を着るときに使用する男性用パンツに関し、特に、服装のうえから股間の膨らみが目立たないようにしたものである。
【背景技術】
【０００２】
従来、図８の説明図に示すように、例えば女装を趣味とする男性が身体Ｍに密着するような服装１を着るときには、女性用のパンティ２を穿くことが多いが、そのパンティ２が一般的に伸び縮み自在で股間の陰茎Ｍａ及び睾丸Ｍｂを支えているだけであるから、これだけでは服装１のうえから股間の膨らみが目立ちやすく、この種の趣味を持つ男性の悩みの一つになっている。
【０００３】
そこで、例えば強い収縮力を備えたゴム糸を編み込んだパンティ２を穿いて、そのゴム糸の強い収縮力で陰茎Ｍａ及び睾丸Ｍｂを押さえることにより、股間の膨らみを目立たないようにすることが考えられる。なお、関連する技術として特許文献１に記載したものがある。
【特許文献１】登録実用新案第３０３５５４１号公報
【発明の開示】
【発明が解決しようとする課題】
【０００４】
上記従来のパンティ２では、編み込んだゴム糸の収縮力が強いため、パンティ２を穿くのに一苦労すると共に、そのパンティ２により腹部が押圧されて息苦しくなったりすることがあり、更に、パンティ２を脱ぐのにも一苦労するものであって、特に迅速に脱ぐ必要がある排尿時や用便時に手間取るおそれがあり、使い勝手が悪い。また、ゴムを編み込んだ特殊なものであるから、高価なものになる。
【０００５】
本発明は、上記従来の欠点に鑑み、股間の膨らみを目立たないようにした使い勝手のよい男性用パンツを提供することを目的としている。
【課題を解決するための手段】
【０００６】
上記目的を達成するための構成を実施の形態に対応する図面に基づいて説明すると、請求項１に記載の発明は、前身頃３Ａ及び後身頃３Ｂとその前後両身頃３Ａ，３Ｂをつなぐ股布３Ｃとからなる男性用パンツ３において、前記前身頃３Ａに陰茎Ｍａを露出するための開口部４が形成され、その開口部４から露出された陰茎Ｍａを押さえるための押さえ帯３Ｄの一端部が前身頃３Ａの開口部４よりも上側に止着されると共に、該押さえ帯３Ｄの他端部が股布３Ｃ上を通り後身頃３Ｂに面ファスナーＦによって係脱可能に係止されている。
【０００７】
請求項２に記載の発明は、請求項１に記載の発明において、睾丸Ｍｂをサポートするための左右一対のサポート帯３Ｅを有し、該各サポート帯３Ｅの一端部が前身頃３Ａに止着されると共に、その各サポート帯３Ｅの他端部が股布３Ｃの側方を通り後身頃３Ｂに面ファスナーＦによって係脱可能に係止されている。
【０００８】
請求項３に記載の発明は、請求項１または２に記載の発明において、前記後身頃３Ｂの両側縁上端から側方に延びる左右一対の延長帯３Ｆが設けられ、該各延長帯３Ｆが前身頃３Ａの上端縁に面ファスナーＦによって係脱可能に係止されている。
【発明の効果】
【０００９】
請求項１に記載の発明によれば、パンツ３を穿いて前身頃３Ａの開口部４から陰茎Ｍａを露出させ、押さえ帯３Ｄの他端部を後身頃３Ｂに面ファスナーＦによって係止するだけで、その押さえ帯３Ｄにより陰茎Ｍａが押さえられるので、例えば女装を趣味とする男性が身体Ｍに密着するような服装１を着るときでも、その服装１のうえから股間の膨らみが目立つことがなく、この種の趣味を持つ男性の悩みを解消することができる。
【００１０】
また、前身頃３Ａ、後身頃３Ｂ及び股布３Ｃからなるパンツ３を綿などの一般的に安価な生地で作ることにより、製作費を安くすることができる。
【００１１】
更に、排尿時には、押さえ帯３Ｄを前方に引っ張るだけで、面ファスナーＦによる係止が解除されて陰茎Ｍａが露出されるから、排尿動作を迅速容易に行うことができる。
【００１２】
請求項２に記載の発明によれば、左右一対のサポート帯３Ｅの他端部を後身頃３Ｂに面ファスナーＦによって係止するだけで、その各サポート帯３Ｅによりパンツ３からはみ出た睾丸Ｍｂがサポートされるので、その睾丸Ｍｂの位置を心地よく安定させることができる。
【００１３】
請求項３に記載の発明によれば、パンツ３を穿く際には、後身頃３Ｂの両延長帯３Ｆと前身頃３Ａとの間の面ファスナーＦによる係止を解除したり緩めた状態で行うことにより、そのパンツ３を容易に穿くことができ、また、腹回りに合わせて両延長帯３Ｆを前身頃３Ａの上端部に面ファスナーＦにより係止するだけで、前身頃３Ａ及び後身頃３Ｂを身体Ｍに心地よくフィットさせることができると共に、その穿いたパンツ３により腹部が圧迫されることもないので、穿き心地が良く、しかも、両延長帯３Ｆを引っ張って面ファスナーＦによる係止を解除するだけで、パンツ３を迅速容易に脱ぐことができ、特に迅速に脱ぐ必要がある用便時に手間取ることがなく、使い勝手が良い。
【発明を実施するための最良の形態】
【００１４】
図１〜図７は本発明の実施の一形態である男性用パンツを示すものであって、図１は同穿いた状態の正面図、図２は同状態の側面図、図３は同斜視図、図４は同正面側展開図、図５は同裏面側展開図、図６は同押さえ帯の縦断面図、図７は同サポート帯の縦断面図である。
【００１５】
図１〜図５に示すように、男性用パンツ３は、柔軟性に優れ伸縮性が小さい例えば綿など生地で縫製されており、ビキニ型の前身頃３Ａ及び後身頃３Ｂとその前後両身頃３Ａ，３Ｂをつなぐ股布３Ｃとからなり、前身頃３Ａのほぼ中央に四角形（または円形など）の開口部４が形成され、その開口部４から露出された陰茎Ｍａを押さえるための押さえ帯３Ｄが設けられ、睾丸Ｍｂをサポートするための左右一対のサポート帯３Ｅを有し、後身頃３Ｂに左右一対の延長帯３Ｆが設けられている。
【００１６】
前記押さえ帯３Ｄは、縦長帯状であって、柔軟性に優れ伸縮性が小さく厚みがある程度あって捩れないようにした例えば帆布などの生地で縫製されており、該押さえ帯３Ｄの一端部が前身頃３Ａの開口部４よりも上側に縫製糸６により止着され、その押さえ帯３Ｄの他端部が股布３Ｃ上を通り後身頃３Ｂまで延びている。
【００１７】
前記各サポート帯３Ｅは、一端部から中央部までが幅広で他端部が幅狭の略縦長円弧状に形成されており、柔軟性に優れ伸縮性が小さい例えば綿などの生地（パンツ３と同一素材）で縫製され、該各サポート帯３Ｅの一端部が前身頃３Ａの両側縁に縫製糸６により止着されている。
【００１８】
前記各延長帯３Ｆは、横長帯状であって、柔軟性に優れ伸縮性が小さい例えば綿などの生地（パンツ３と同一素材）で縫製されており、後身頃３Ｂの両側縁上端に縫製糸６により一体的に接続され（または後身頃３Ｂの両端縁上端に一体形成され）て側方に延ばされている。
【００１９】
図３〜図７に示すように、マジックテープ（登録商標）と称する複数の面ファスナーＦが用いられており、該各面ファスナーＦの互いに係脱可能に係合する２枚のファスナーシートＦａ，Ｆｂのうち、その一方のファスナーシートＦａが前身頃３Ａの上端縁及び後身頃３Ｂの下端縁に止着され、その他方のファスナーシートＦｂが押さえ帯３Ｄの他端部及び各サポート帯３Ｅの他端部と各延長帯３Ｆとに止着されている。
【００２０】
男性用パンツ３を穿くときの手順を説明すると、両延長帯３Ｆと前身頃３Ａとの間の面ファスナーＦによる係止を解除したり緩めた状態でパンツ３を穿き、陰茎Ｍａを開口部４に挿入して露出させる。続いて、両延長帯３Ｆを前方に引っ張ってその両延長帯３Ｆを前身頃３Ａの上端縁に面ファスナーＦにより係止することにより、腹回りに合わせて前身頃３Ａ及び後身頃３Ｂを身体Ｍに密着させる。続いて、押さえ帯３Ｄを陰茎Ｍａにあてがった状態で股の間から後方に引っ張って後身頃３Ｂに面ファスナーＦによって係止し（図６参照）、その押さえ帯３Ｄで陰茎Ｍａを押さえる。その後、各サポート帯３Ｅの中央部を睾丸Ｍｂにあてがった状態で股の間から後方に引っ張って後身頃３Ｂに面ファスナーＦによって係止し（図７参照）、その各サポート帯３Ｅでパンツ３からはみ出た睾丸Ｍｂをサポートする。その後、図８に示す従来例と同じように、パンティ２を必要に応じて穿き、服装１を着る。
【００２１】
上記構成によれば、図６に示すように、パンツ３を穿いて前身頃３Ａの開口部４から陰茎Ｍａを露出させ、押さえ帯３Ｄの他端部を後身頃３Ｂに面ファスナーＦによって係止するだけで、その押さえ帯３Ｄにより陰茎Ｍａが押さえられるので（図２参照）、例えば女装を趣味とする男性が身体Ｍに密着するような服装１を着るときでも、その服装１のうえから股間の膨らみが目立つことがなく、この種の趣味を持つ男性の悩みを解消することができる。
【００２２】
図３に示すように、前身頃３Ａ、後身頃３Ｂ及び股布３Ｃからなるパンツ３を綿などの一般的に安価な生地で作ることにより、製作費を安くすることができる。
【００２３】
更に、排尿時には、押さえ帯３Ｄを前方に引っ張るだけで、面ファスナーＦによる係止が解除されて陰茎Ｍａが露出されるから、排尿動作を迅速容易に行うことができる。
【００２４】
図７に示すように、左右一対のサポート帯３Ｅの他端部を後身頃３Ｂに面ファスナーＦによって係止するだけで、その各サポート帯３Ｅによりパンツ３からはみ出た睾丸Ｍｂがサポートされるので（図１参照）、その睾丸Ｍｂの位置を心地よく安定させることができる。
【００２５】
図１及び図２に示すように、パンツ３を穿く際には、後身頃３Ｂの両延長帯３Ｆと前身頃３Ａとの間の面ファスナーＦによる係止を解除したり緩めた状態で行うことにより、そのパンツ３を容易に穿くことができ、また、腹回りに合わせて両延長帯３Ｆを前身頃３Ａの上端部に面ファスナーＦにより係止するだけで、前身頃３Ａ及び後身頃３Ｂを身体Ｍに心地よくフィットさせることができると共に、その穿いたパンツ３により腹部が圧迫されることもないので、穿き心地が良く、しかも、両延長帯３Ｆを引っ張って面ファスナーＦによる係止を解除するだけで、パンツ３を迅速容易に脱ぐことができ、特に迅速に脱ぐ必要がある用便時に手間取ることがなく、使い勝手が良い。
【図面の簡単な説明】
【００２６】
【図１】本発明の実施の一形態である男性用パンツを穿いた状態の正面図である。
【図２】同状態の側面図である。
【図３】同斜視図である。
【図４】同正面側展開図である。
【図５】同裏面側展開図である。
【図６】同押さえ帯の縦断面図である。
【図７】同サポート帯の縦断面図である。
【図８】従来例を示す説明図である。
【符号の説明】
【００２７】
３        男性用パンツ
３Ａ      前身頃
３Ｂ      後身頃
３Ｃ      股布
３Ｄ      押さえ帯
３Ｅ      サポート帯
３Ｆ      延長帯
４        開口部
Ｆ        面ファスナー
Ｍａ      陰茎
Ｍｂ      睾丸
【図１】
2010001578.tif 000003
【図２】
2010001578.tif 000004
【図３】
2010001578.tif 000005
【図４】
2010001578.tif 000006
【図５】
2010001578.tif 000007
【図６】
2010001578.tif 000008
【図７】
2010001578.tif 000009
【図８】
2010001578.tif 000010